(57)【要約】【課題】コンセントに電気機器の電源コードのプラグを差込んだ状態で電気機器を移動させた場合に，プラグ端子刃の曲折を防止する。【解決手段】壁埋込型コンセント１は，表面部分と裏面部分で面取りした概球形状のコンセント本体部２と，コンセント本体部２の球形部分に対応するように凹設されコンセント本体部２を可動可能に挟持するコンセント受部３と，壁埋込型コンセント１に外部から電力を伝送するカール状の外部電源線４からなることを特徴とする。【選択図】 図２
2009170149.tif 000002
【特許請求の範囲】
【請求項１】
プラグ端子刃の差込口を外面に，並びに，前記端子刃の把持金具及び前記把持金具に電気的に接続する電源線を内部に，それぞれ配置した概球形状のコンセント本体部と，
前記コンセント本体部の球形部分に対応するように凹設し，前記コンセント本体を可動可能に挟持するコンセント受部と，
前記コンセント本体部の電源線と電気的に接続するカール状の外部電源線と，
からなることを特徴とする壁埋込型コンセント。
【請求項２】
プラグ本体と，
前記プラグ本体に接続し，回動可能なプラグ端子刃を含む部分と，
前記プラグ本体に接続し，前記回動とは垂直な方向に回動可能な電源コードを含む部分と，
からなることを特徴とするプラグ。
【発明の詳細な説明】
【技術分野】
【０００１】
本発明は，コンセントに電気機器の電源コードのプラグを差込んだ状態で電気機器を移動させても，コンセントまたはプラグへの応力を軽減させ，プラグ端子刃の曲折を防止するものである。
【背景技術】
【０００２】
現在，図６に示すように，プラグ端子刃を含む部分が一方向に回動可能なプラグが市販されている。
【０００３】
しかしながら，コンセントの差込口の形状とプラグの回動方向から，電気機器を垂直方向で移動する場合（そのような場合は少ない）には特に問題とはならないが，水平方向で移動する場合（そのような場合が多い）には，プラグ端子刃に水平方向の応力が働く場合があり，コンセントからプラグが抜けたり，極端な場合は，プラグ端子刃が曲折したりすることもある。
【０００４】
特に，現在は，プラグと電源コードの接続部分が絶縁樹脂により一体形成されているものが多く，接続部分の剛性が極めて大きくなったことから，プラグ端子刃の曲折のおそれがより深刻になってきている。
【発明の開示】
【発明が解決しようとする課題】
【０００５】
このように，水平方向で電気機器を移動させた場合でも，プラグ端子刃が曲折したりしない，コンセント又はプラグが望まれている。
【課題を解決するための手段】
【０００６】
本願に係る発明は，かかる課題を解決するものであり，プラグ端子刃の差込口の方向が可動可能なコンセントと，二方向に回動可能なプラグとを提案するものである。
【０００７】
つまり，請求項１に係る壁埋込型コンセントは，プラグ端子刃の差込口を外面に，並びに，端子刃の把持金具及び把持金具に電気的に接続する電源線を内部に，それぞれ配置した概球形状のコンセント本体部と，コンセント本体部の球形部分に対応するように凹設し，前記コンセント本体を可動可能に挟持するコンセント受部と，コンセント本体部の電源線と電気的に接続するカール状の外部電源線とからなることを特徴とするものである。
【０００８】
また，請求項２に係るプラグは，プラグ本体と，プラグ本体に接続し，回動可能なプラグ端子刃を含む部分と，前記回動とは垂直な方向に回動可能な電源コードを含む部分とからなることを特徴とするものである。
【発明の効果】
【０００９】
本発明の実施により，水平方向で電気機器を移動させた場合でも，プラグ端子刃が曲折したりせず，更には，電気安全が図られることになる。
【発明を実施するための最良の形態】
【００１０】
以下、本願に係る発明の実施の形態を、図面に基づき説明する。
（実施例１）
【００１１】
図１は壁埋込型コンセント１の正面図，図２は壁２３に埋め込まれた状態での壁埋込型コンセント１の断面図（図１のＡ−Ａ’における部分の断面図）である。図２に示すように，壁埋込型コンセント１は，表面部分と裏面部分で面取りした概球形状のコンセント本体部２と，コンセント本体部２の球形部分に対応するように（つまり，コンセント本体部２と面接触するように）凹設されコンセント本体部２を可動可能に挟持するコンセント受部３と，壁埋込型コンセント１に外部から電力を伝送するカール状の外部電源線４を主要な構成要素としている。
【００１２】
コンセント本体部２は電気絶縁材料からなり，図２に示すように，他の電気機器等の電源コードに取付けられているプラグの端子刃２０を差込む差込口５が外面にあり，端子刃２０を把持する端子刃把持部６および電源線７が内部に配置される。また，これらの諸要素をコンセント本体部２の内部に嵌め込むための溝８又は導通させるための孔９が施されている。
【００１３】
コンセント本体部２は，図３（図１のＢ−Ｂ’における部分の断面図）に示すように，Ｂ−Ｂ’断面部分を上下として二つの部材２ａ，２ｂから構成され，この二つは，図４（図１のＣ−Ｃ’における部分の断面図）に示すようにネジ１０にて結合される。のコンセント本体部２ではネジは２つだが，３以上であってもかまわない。しかし，図３に示すように，ネジ１０を通す孔１１は，課電部分を避けて配置する必要があり，また，結合を強固にするため，図４に示すように長め目のネジを使用する必要がある。
【００１４】
ネジ１０のネジ頭が，コンセント本体部２とコンセント受部３の面接触による可動を妨げるのを防ぐ必要がある。そのため，ネジ頭をコンセント本体部２の球面部分からはみ出さないよう，ネジ頭用の窪み１２を設けておく。なお，コンセント本体部２の可動時抵抗を増やさないため，ネジの数は４つ程度にし，また，窪み１２の面積を少なくするため，窪み１２とネジ頭の間の遊びは極力小さくすることが望ましい。
【００１５】
他の電気機器等の電源コードプラグ２１がコンセント本体部２と接続されている状態で，当該電気機器の移動により，コンセント本体部２に上下左右に応力が加わる。この応力でコンセント本体部２を可動させることにより，当該電気機器のプラグ端子刀を曲折る無理な応力が加わらないようにする必要がある。
【００１６】
壁の内部に配線されコンセントと電気的に接続される外部電源線に普通の電線を用いても，事前に余長を与えておけば，コンセント本体部２のある程度の可動は可能である。しかし，より滑らかな可動とするには，カール状の外部電源線４を用いたほうがよい。これにより，コンセント本体部２の円滑な可動が可能となり，また，電気機器等の電源コードプラグ２１がコンセント本体部２から外された場合でも，カール状の外部電源線４の弾性により，コンセント本体部２の位置が元の位置に自然に戻ることになる。
（実施例２）
【００１７】
図５に示すプラグ１８は，プラグ本体１３，プラグ端子刃１５を含む回動可能部分１４及び電源コード１０と接続する回転可能部分１７とからなる。回動可能部分１７の回動方向は，回動可能部分１４のそれと垂直となるようにする。
【００１８】
このプラグ１８を適用された電気機器の電源コード１０において，このプラグ１８を壁に埋め込まれたコンセントに差込み，電気機器を移動させると，電気機器の垂直方向の移動については，回動可能部分１４が回動することにより，電気機器の水平方向の移動については，回動可能部分１７が回動することにより，プラグ１８の端子刃１５への応力が減少し，端子刃の曲折を防ぐことができる。
【図面の簡単な説明】
【００１９】
【図１】壁埋込型コンセントの正面図。
【図２】壁埋込型コンセントの垂直断面図（Ａ−Ａ’断面図）。
【図３】コンセント本体部の水平断面図（Ｂ−Ｂ’断面図）。
【図４】コンセント本体部の垂直断面図（Ｃ−Ｃ’断面図）。
【図５】水平・垂直の両方向に回動可能なプラグ（（ａ）は平面図，（ｂ）は側面図）。
【図６】従来からの垂直方向に回動可能なプラグ（（ａ）は平面図，（ｂ）は側面図）。
【符号の説明】
【００２０】
２２  プラグの電源コード
２４  コンセントボックス
２５  キャップタイ
２６  コンセント受け部を固定するネジのネジ頭収容用の窪み
【図１】
2009170149.tif 000003
【図４】
2009170149.tif 000004
【図５】
2009170149.tif 000005
【図６】
2009170149.tif 000006
【図２】
2009170149.tif 000007
【図３】
2009170149.tif 000008